(57)【特許請求の範囲】
【請求項１】
複数の部材を重合状態に取り付けて形成され、該部材のうち、上層部材が、その他の部材とは独立に回動可能であり、前記その他の部材に係止部材を含み、前記上層部材は、該係止部材を介して前記その他の部材に係脱可能に取り付けられ、前記上層部材は、前記係止部材を撚回することによって、前記その他の部材とは独立に回動可能となる又は前記その他の部材とは独立に回動不能となることを特徴とするコマ玩具。
【請求項２】
請求項１において、前記その他の部材は、下面中心に回転軸を有する最下層部材と、弾性を有する弾性部材と、係止片を有するスライド部材と、中間部材と、錘機能及び開口を有する中層部材とを含み、該最下層部材に、該弾性部材が収納され、該弾性部材の上部に該スライド部材が載置され、該スライド部材を貫通させるように該中間部材の一部が該最下層部材に収納され、該中層部材の開口に該スライド部材を貫通させるように該中層部材が該最下層部材に螺設されて構成されることを特徴とするコマ玩具。
【請求項３】
請求項２において、前記上層部材は、前記スライド部材を貫通させるように前記中層部材に載置され、前記係止部材は、該上層部材に載置され且つ該係止部材の一部を該スライド部材内に嵌挿させることにより、前記上層部材は、前記その他の部材に係脱可能に取り付けられることを特徴とするコマ玩具。
【請求項４】
請求項３において、前記中間部材から突出するスライド部材の長さの変化によって、前記上層部材の緊緩が調整されて、該上層部材は、前記その他の部材とは独立に回動可能となる又は前記その他の部材とは独立に回動不能となることを特徴とするコマ玩具。
【請求項５】
請求項１乃至請求項４のいずれか１項記載のコマ玩具において、前記上層部材は、鍔部を有し、最下層部材と中層部材の外側にはみ出すように形成されることを特徴とするコマ玩具。
【発明の詳細な説明】
【０００１】
【発明の属する技術分野】
本発明は、回転中に、他のコマ玩具や他の物と接触した際の衝撃を緩衝するコマ玩具に関する。
【０００２】
【従来の技術】
従来より、紐を使わずに、コマ玩具を回転させるシューター等を用いて回転させて遊ぶコマ玩具は、数多く実用に供されている。その遊び方も様々で、例えば鉛筆や、指の上でコマ玩具を回転させたり、他のコマ玩具と同時に回転させて、回転時間を競ったり、回転時に他のコマ玩具にぶつけて倒す等の遊び方がある。
【０００３】
しかしながら、従来のコマ玩具は全体が一体化されている為、回転時に他のコマ玩具にぶつけて倒す場合、ぶつけたコマ玩具も、ぶつけられたコマ玩具も、遠心力が低下し、またバランスを崩しやすく、直ぐに倒れてしまい易くて、ぶつけても、ぶつけられても回転を持続させることができなかった。
【０００４】
そこで、コマ玩具の回転を維持させる（遠心力を持続させる）こと、受けた衝撃を逃がしバランスを保持することにより、他のコマ玩具にぶつけたり、ぶつけられたり等した際に倒れにくくすることが必要となる。
【０００５】
【発明が解決しようとする課題】
本発明は、上記従来技術の問題点に鑑みなされたもので、他のコマ玩具や他の物と接触した際の衝撃を緩衝し、回転の持続時間を延長することによって、より興趣性に富んだコマ玩具を提供することを目的とする。
【０００６】
【課題を解決するための手段】
本発明は、コマ玩具であって、複数の部材を重合状態に取り付けて形成され、該部材のうち、上層部材が、その他の部材とは独立に回動可能であることを特徴とする。
【０００７】
本発明によれば、上層部材が、その他の部材とは独立に回動可能であることにより、他のコマ玩具や他の物と接触した際に、上層部材がその衝撃によって、その他の部材と独立に回動することにより、その他の部材はその衝撃を余り受けることなく回転を続けることができる。従って、とても衝撃に強いコマ玩具を提供することができる。
【０００８】
また、本発明は、前記その他の部材に係止部材を含み、前記上層部材は、該係止部材を介して前記その他の部材に係脱可能に取り付けられようにしても良い。
【０００９】
本発明によれば、前記上層部材は、前記係止部材を介して前記その他の部材に係脱可能に取り付けられることにより、簡単な構成によって、該上層部材の独立回動を実現可能とすることができる。又更に、例えば色々な攻撃方法、遊び方、回転方法に対応した形状の上層部材を、状況や、遊び方等に応じて取替えすることもでき、応用自在のコマ玩具を提供することができる。
【００１０】
また、本発明は、前記上層部材は、前記係止部材を撚回することによって、前記その他の部材とは独立に回動可能となる又はその他の部材とは独立に回動不能となるようにしても良い。
【００１１】
本発明によれば、簡単な操作によって、前記上層部材は、前記その他の部材とは独立に回動可能となる又はその他の部材とは独立に回動不能となり得る。又それにより、状況や、遊び方等に応じて、前記上層部材を、その他部材とは独立に回動可能としたり又はその他の部材とは独立に回動不能にしたりすることができ、応用自在のコマ玩具を提供することができる。
【００１２】
また、本発明は、前記その他の部材は、下面中心に回転軸を有する最下層部材と、弾性を有する弾性部材と、係止片を有するスライド部材と、中間部材と、錘機能及び開口を有する中層部材とを含み、該最下層部材に、該弾性部材が収納され、該弾性部材の上部に該スライド部材が載置され、該スライド部材を貫通させるように該中間部材の一部が該最下層部材に収納され、該中層部材の開口に該スライド部材を貫通させるように該中層部材が該最下層部材に螺設されて構成されるようにしても良い。
【００１３】
本発明によれば、錘機能を有する中層部材によって、コマとしての優れた回転特性を得ることができ、また、バランスの取れたコマ玩具を提供することができる。また、簡単な構成で、前記上層部材の独立回動を実現可能な構成を提供することができる。
【００１４】
また、本発明は、前記上層部材は、前記スライド部材を貫通させるように前記中層部材に載置され、前記係止部材は、該上層部材に載置され且つ該係止部材の一部を該スライド部材内に嵌挿させることにより、前記上層部材は、前記その他の部材に係脱可能に取り付けられるようにしても良い。
【００１５】
本発明によれば、簡単な方法によって、前記上層部材を、前記その他の部材に係脱自在に取り付けることができ、小さな子供であっても容易に該コマ玩具を構成することができる。
【００１６】
また、本発明は、前記中間部材から突出するスライド部材の長さの変化によって、前記上層部材の緊緩が調整されて、該上層部材は、前記その他の部材とは独立に回動可能となる又は前記その他の部材とは独立に回動不能となるようにしても良い。
【００１７】
本発明によれば、前記中間部材から突出するスライド部材の長さの変化によって、前記上層部材の緊緩が調整される構成により、簡単な構成で、確実に、前記上層部材を独立回動させることができ、又は前記上層部材を独立回動不能とさせることができ、衝撃に強いコマ玩具を実現可能とする。
【００１８】
また、本発明は、前記上層部材は、鍔部を有し、最下層部材と中層部材の外側にはみ出すように形成されるようにしても良い。
【００１９】
本発明によれば、前記上層部材が、鍔部を有し、最下層部材と中層部材の外側にはみ出すように形成されることにより、他のコマ玩具や、他の障害物にぶつけて回転させることができる。
【００２０】
また、本発明は、コマ玩具であって、複数の部材を重合状態に取り付けて形成され、該部材のうち、上層部材が、その他の部材とは独立に回動可能であり、前記その他の部材に係止部材を含み、前記上層部材は、該係止部材を介して前記その他の部材に係脱可能に取り付けられ、前記上層部材は、前記係止部材を撚回することによって、前記その他の部材とは独立に回動可能となる又は前記その他の部材とは独立に回動不能となることを特徴とする。
【００２１】
【発明の実施の形態】
本発明は、複数の部材を重合状態に取り付けて形成され、該部材のうち、上層部材が、その他の部材とは独立に回動可能であるコマ玩具である。その他の部材は、最下層部材、弾性部材、スライド部材、中間部材、中層部材、係止部材から構成され、上層部材は該係止部材を介してその他の部材に係脱可能に取り付けられ、また該係止部材の撚回によって、該上層部材の独立回動が実現可能となる。
【００２２】
【実施例】
以下、図面に基づいて本発明の実施例を詳細に説明する。図１は、本発明の実施形態におけるコマ玩具の斜視図である。
図１において、符号１は本発明に係るコマ玩具を示し、このコマ玩具１は、最下層部材２と、最下層部材２の上に配置された中層部材６と、中層部材６の上に独立に回動可能に配置された上層部材７と、上層部材７内に配置された係止部材８とから構成され、前記各部材２，６，７，８は階層状に配置されている。
【００２３】
次に、各部材について図２及び図３に従って詳細に説明する。
最下層部材２は、下面が倒立円錐状に形成され、その下頂部には回転軸２０が形成されている。そして、その回転軸２０の上部には、中空の弾性部材収納部２１が形成され、その内部には、弾性部材３が収納される。そして更にその弾性部材収納部２１の上部には、中間部材収納部２２が凹設され、その内部に中間部材５の下部が収納される。更にその中間部材収納部２２の上部には、所定の箇所に、中層部材６を螺設する為の螺孔２５ａを有する螺孔突起２５及び位置合わせ突起２６が、螺孔突起台２３及び位置合わせ突起台２４上に形成される。尚、最下層部材２は合成樹脂等によって形成すれば良い。
【００２４】
スライド部材４は、円筒状に形成され、下から３分の１程度の外周面に、係止片４０が形成されており、更に頂部には、角柱形状の係止部材嵌挿孔４１が配設され、更にその係止部材嵌挿孔４１の下部には図示しない螺孔が配設される。係止片４０は、スライド部材４に垂直に形成されており、スライド部材４の外周面の一部に、スライド部材４の断面直径より大きい直径の半円アーチ状の固定部分４０ａが形成される。更にその固定部分４０ａの外側に、この固定部分４０ａの一部と繋がるように半円アーチ状で、且つ可撓性を持つよう細く形成された可撓部分４０ｂがある。更にこの可撓部分４０ｂの中央部分には、スライド部材４と平行するように係止突起４０ｃが形成される。尚、スライド部材４は合成樹脂等によって形成すれば良い。
【００２５】
中間部材５は、円筒状の主部材５０、補助部材５１、バネ５２によって構成され、スライド部材４を貫通させるように、円筒状の主部材５０及び補助部材５１の中心部分に、それぞれ内軸孔５０ａ及び内軸孔５１ａが貫穿される。
【００２６】
主部材５０の下部内側には、スライド部材４の係止片４０の直径とほぼ同じ程度の直径を有する凹陥部５０ｂを有する。更にその凹陥部５０ｂの外周には所定の箇所に、スライド部材４の係止突起４０ｃと嵌合するような係止凹欠部５０ｃを複数有する。そして、凹陥部５０ｂの内軸孔５０ａの外周の一部に、山状に形成されたスライド部材調整突起部５０ｄが形成される。このスライド部材調整突起部５０ｄ及び内軸孔５０ａに、スライド部材４の係止片４０が係止されることによって、中間部材５の上部から突出する、スライド部材４の長さが変わる。このことによって、スライド部材４の下部に配設され且つ最下層部材２に収納される弾性部材３の弾性力が調整される。
また、主部材５０の外周面には、中間部材５を最下層部材２の中間部材収納部２２へ収納した場合に、位置ズレが起きないように、最下層部材２の螺孔突起台２３及び位置合わせ突起台２４に掛止されるよう掛止突起５０ｅが形成される。更に主部材５０の外周面には、中層部材６を配設する際に、位置ズレを起こさないように、嵌合突起５０ｆが形成される。また、主部材５０の上部には、シューター１００の回転片１０２に係合する係合片５０ｇが突出形成される。そして、内軸孔５０ａの外周に、補助部材５１を収納する為の補助部材収納部５０ｈが凹設され、更にその補助部材収納部５０ｈの側面には、補助部材掛止溝５０ｉが形成される。
【００２７】
補助部材５１は、内軸孔５１ａを有する中空の円筒状を成しており、その外周面には、主部材５０の補助部材掛止溝５０ｉに掛止されるよう、複数の掛止爪５１ｂを有する。
【００２８】
そして、主部材５０の補助部材収納部５０ｈに、内軸孔５０ａの直径より大きく、補助部材収納部５０ｈの直径よりも小さいバネ５２を収納し、補助部材５１をそのバネ５２に被嵌すると共に、主部材５０の補助部材収納部５０ｈに収納し、その掛止爪５１ｂを補助部材掛止溝５０ｉに掛合させる。すると、中間部材５が形成され、補助部材５１の配設部分が弾性を有するように構成される。
尚、中間部材５は合成樹脂等によって形成すれば良い。
【００２９】
中層部材６は、中央が開口した八角板状（円板状や他の多角板状でもよい）に形成され、内周部には内側の所定の箇所に、張り出し片６０が突出形成され、各張り出し片６０の中央には、嵌合孔６１が形成されている。また、中間部材５の嵌合突起５０ｆと嵌合するよう嵌合溝６２が形成される。尚、中層部材３は他の部材に比べて重量の大きい錘部材とし、金属によって形成するのが好ましい。
【００３０】
上層部材７は、円板状に形成され、外周面に、等間隔に３つの鍔部７０が一体的に形成され、且つこの鍔部７０は最下層部材２と中層部材６の外側にはみ出すように形成される。また、上層部材７の内側の中央部分に、内軸孔７１が形成され、その内軸孔７１の外周には、係止部材８を載置する為の係止部材受け部７２が形成される。更に係止部材受け部７２の縁には、係止部材８の上部材８０の波形ラック８０ｂと歯合するよう波形ラック７２ａが突出形成される。尚、この波形ラック７２ａを構成する歯の形は、歯先を適度に丸めた台形状にするのが望ましい。
また、係止部材受け部７２の外周の一部に、シューター１００の回転片１０２を通す為の、一対の長孔７３が形成される。尚、上層部材７は合成樹脂等によって形成すれば良い。
【００３１】
係止部材８は、上部材８０と、下部材８１から構成される。
上部材８０は、円板状に形成され、中央部分に、螺孔８０ａを有する。また、上部材８０の下部縁部には、係止部材受け部７２の波形ラック７２ａと歯合するよう波形ラック８０ｂが突出形成される。尚、この波形ラック８０ｂを構成する歯の形は、歯先を適度に丸めた台形状にするのが望ましい。
また、上部材８０の裏面には、下部材８１の上部を嵌合させる為の下部材嵌合溝が形成される（図示せず）。
【００３２】
下部材８１の上部は、下部材嵌合溝に嵌合するような形状を成しており、下部材８１の下部は、角柱形状のスライド部材４の係止部材嵌挿孔４１に嵌挿する為、角柱形状を成している。更に、下部材８１の内部中心部分に、螺孔８１ａが貫穿される。そして、上部材８０の下部材嵌合溝８０ｃに、下部材８１の上部を嵌合させて、ワッシャーを介して上部材８０に下部材８１が螺設され、係止部材８が構成される。
【００３３】
そして、この係止部材８の下部材８１を、スライド部材４の下部材嵌合溝に嵌挿することにより、係止部材８及び上層部材７は、最下層部材２及び中層部材６と係脱可能に形成される。尚、係止部材８は合成樹脂によって形成するのが好ましい。
【００３４】
次に、コマ玩具１の有機的結合構成について詳細に説明する。
最下層部材２の弾性部材収納部２１に弾性部材３が収納され、この弾性部材３の上部に、スライド部材４が載置され、このスライド部材４が内軸孔５１ａを貫通するよう中間部材５の一部が、中間部材収納部２２に収納される。この時、中間部材５の掛止突起５０ｅが、最下層部材２の螺孔突起台２３及び位置合わせ突起台２４によって掛止されるように収納される。
【００３５】
そして、中層部材６の嵌合溝６２に、中間部材５の嵌合突起５０ｆが嵌合され、更に中層部材６の嵌合孔６１に、最下層部材２の螺孔突起２５及び位置合わせ突起２６が嵌合され、その螺孔突起２５の螺孔２５ａにワッシャーを介して螺子８２が螺合される。即ち中層部材６が、最下層部材２に螺設される。
【００３６】
そして上層部材７の中心部分に配設された内軸孔７１に、スライド部材４を通すようにして、上層部材７が中層部材６の上に載置される。
そして、スライド部材４の下部材嵌合溝８０ｃに、係止部材８の下部材８１が嵌挿されると、係止部材８及び上層部材７が、その他の部材と係脱可能に形成される。
【００３７】
そして、この係止部材８を撚回すると、即ち係止部材８を螺子８２を中心にして回動させると、スライド部材４も協動し、従ってスライド部材４の係止片４０も、中間部材５の凹陥部５０ｂ内を回動する。尚この時、スライド部材４の係止片４０は、中間部材５の凹陥部５０ｂ内のスライド部材調整突起部５０ｄ及び内軸孔５０ａによって係止されながら、しかしスライド部材４の係止片４０の可撓部分４０ｂが撓曲する為、回動することができる。そして、撚回が停止された時、即ち回動が停止された時に、スライド部材４の係止片４０は、中間部材５の凹陥部５０ｂ内のスライド部材調整突起部５０ｄ及び内軸孔５０ａによって係止される。
【００３８】
そして図４（Ａ）に示すように、例えば係止片４０の固定部分４０ａが山状のスライド部材調整突起部５０ｄの頂の下に在る時は、即ち係止片４０がスライド部材調整突起部５０ｄの頂によって係止される時、中間部材５の上部から突出するスライド部材４の長さが最短となる。図４（Ｂ）に示すように、係止片４０の固定部分４０ａがスライド部材調整突起部５０ｄ下に無い時は、即ち係止片４０が内軸孔５０ａによって係止される時、中間部材５の上部から突出するスライド部材４の長さが最長となる。図４（Ｃ）に示すように、係止片４０の固定部分４０ａが，山状のスライド部材調整突起部５０ｄの傾斜部分下に在る時は、即ち係止片４０の固定部分４０ａがスライド部材調整突起部５０ｄの傾斜部分によって係止される時、中間部材５の上部から突出するスライド部材４の長さは前記最短の長さより長く、前記最長の長さより短くなる。即ち係止部材８の回動によって、中間部材５の上部から突出する、スライド部材４の長さが変わる。
【００３９】
また、スライド部材４の動作によって、スライド部材４の下部に配設され且つ最下層部材２に収納される弾性部材３の弾性力が、調整されることにより、スライド部材４の動作状態が維持される。即ち、中間部材５の上部から突出するスライド部材４の長さが最長の時は、中間部材５の下部から突出するスライド部材４の長さが最短で、従ってスライド部材４が弾性部材３を押圧する力は弱い為、スライド部材４は、弾性部材３の弾性力によって弱く押上げられる状態となる。しかし、中間部材５の上部から突出するスライド部材４の長さが最短の時は、中間部材５の下部から突出するスライド部材４の長さが最長で、従ってスライド部材４が弾性部材３を押圧する力は強い為、スライド部材４は、弾性部材３の弾性力によって強く押上げられる状態となる。中間部材５の上部から突出するスライド部材４の長さが最短の長さより長く、最長の長さより短い時は、スライド部材４は、その長さに応じた強さの、弾性部材３の弾性力によって押上げられる状態となる。
更に、スライド部材４の係止片４０の係止突起４０ｃが、中間部材５の係止凹欠部５０ｃに嵌合することにより、静止状態となり、次に係止部材８を回動させるまで、その状態が維持される。
【００４０】
そして、中間部材５の上部から突出するスライド部材４の長さが最短の時は、係止部材８及び上層部材７には隙間が無く、従って係止部材８の波形ラック８０ｂ及び上層部材７の波形ラック７２ａが互いに強い力で押さえ付け合いながら歯合する為、係止部材８及び上層部材７が、最下層部材２及び中層部材６に固装される。従って、上層部材７は、その他の部材とは独立に回動不能となる。
【００４１】
中間部材５の上部から突出するスライド部材４の長さが最長の時は、係止部材８及び上層部材７には隙間が生じ、従って係止部材８の波形ラック８０ｂ及び上層部材７の波形ラック７２ａが互いに弱い力で押さえ付け合いながら歯合する為、上層部材７が、その他の部材とは独立に回動可能となる。このとき、中間部材５の上部から突出するスライド部材４の長さは、上層部材７の波形ラック７２ａの高さと係止部材８の波形ラック８０ｂの高さの和と同程度であれば、互いに殆ど係止されることなく、上層部材７は係止部材８に殆ど係止されずに、より独立回動しやすくなる。
更に、上述のように、波形ラック７２ａ及び波形ラック８０ｂを歯の形が、歯先が適度に丸められた台形状であれば、互いに殆ど係止されることなく、上層部材７は係止部材８に殆ど係止されずに、更により独立回動しやすくなる。
【００４２】
中間部材５の上部から突出するスライド部材４の長さが、前記最短の長さより長く、前記最長の長さより短い時は、係止部材８及び上層部材７には、突出するスライド部材４の長さに応じた隙間が生じ、従って係止部材８の波形ラック８０ｂ及び上層部材７の波形ラック７２ａが互いに、その長さに相応した力で押さえ付け合いながら歯合する。従って、上層部材７は、その押さえ付け合う力に応じた、その他の部材とは独立に回動する回動状態を得ることができる。
【００４３】
即ち、係止部材８の回動によって、スライド部材４の長さが変化することによって、係止部材８と上層部材７との隙間の大きさが変化し、その隙間の大きさに従って、係止部材８及び上層部材７が互いに押さえ付け合う力の大小が調整され、上層部材７の緊緩が調整される。これにより、上層部材７の回動状態が変化する。
【００４４】
従って、コマ玩具１の回転時に他のコマ玩具とぶっけて倒すという遊びをするときや、他の障害物と接触したときに、上層部材７がその衝撃によって回転軸を有するその他の部材と独立に回転することにより、その他の部材はその衝撃を余り受けることなく回転を続けることができる。従って、とても衝撃に強いコマ玩具を提供することができる。また更に、上層部材７の回動状態を、係止部材８の撚回具合によって調整することにより、他のコマ玩具と接触したときの衝撃の受け方を調整することができ、より戦略性の高いコマ遊びをすることができる。
【００４５】
尚、コマ玩具１を回転させる場合、図５に示すように、シュ−タ−を使用すれば良い。シュ−タ−１００は従来から幾つかのタイプがあるが、このシュ−タ−１００はピニオン・ラック機構を利用し、本体１００ａの内部に歯車（図示せず）によって回転する回転体１０１を設け、その下方に一対の回転片１０２を突出したので、本体１００ａに貫通させたラック部材１０３には前記歯車を噛み合いさせ、ラック部材１０３を一方に強く引くことにより回転体１０１を回転させるものである。
尚、コマ玩具１をシュ−タ−１００を用いて回転させる方法については周知であるから、ここではコマ玩具１とシュ−タ−１００との取り付け状態の詳しい説明は省略する。
【００４６】
また、上記構成のコマ玩具１は、回転時に他のコマ玩具とぶつけて倒すという遊びの他に、それ自体通常のコマと同じように回転させたりすることができる。
【００４７】
以上、好ましい実施例を挙げて本発明を説明したが、本発明はその実施例に限定されるものではなく、特許請求の範囲に記載した技術的範囲内で種々に改変できる。なお、本発明のコマ玩具の形状は、上述の通りでなくても良い。
【００４８】
【発明の効果】
本発明は、以上説明したような形態で実施され、次のような効果を有する。
【００４９】
本発明によれば、上層部材が、その他の部材とは独立に回動可能であることにより、他のコマ玩具や他の物と接触した際に、上層部材がその衝撃によって、その他の部材と独立に回動することにより、その他の部材はその衝撃を余り受けることなく回転を続けることができる。従って、とても衝撃に強いコマ玩具を提供することができる。
【００５０】
本発明によれば、前記上層部材は、前記係止部材を介して前記その他の部材に係脱可能に取り付けられることにより、簡単な構成によって、該上層部材の独立回動を実現可能とすることができる。又更に、例えば色々な攻撃方法、遊び方、回転方法に対応した形状の上層部材を、状況や、遊び方等に応じて取替えすることもでき、応用自在のコマ玩具を提供することができる。
【００５１】
本発明によれば、簡単な操作によって、前記上層部材は、前記その他の部材とは独立に回動可能となる又はその他部材とは独立に回動不能となり得る。又それにより、状況や、遊び方等に応じて、前記上層部材を、その他部材とは独立に回動可能としたり又はその他部材とは独立に回動不能とすることができ、応用自在のコマ玩具を提供することができる。
【００５２】
本発明によれば、錘機能を有する中層部材によって、コマとしての優れた回転特性を得ることができ、また、バランスの取れたコマ玩具を提供することができる。また、簡単な構成で、前記上層部材の独立回動を実現可能な構成を提供することができる。
【００５３】
本発明によれば、簡単な方法によって、前記上層部材を、前記その他の部材に係脱可能に取り付けることができ、小さな子供であっても容易に該コマ玩具を構成することができる。
【００５４】
本発明によれば、前記中間部材から突出するスライド部材の長さの変化によって、前記上層部材の緊緩が調整される構成により、簡単な構成で、確実に、前記上層部材を独立回動させることができ、又はその他部材とは独立に回動不能とすることができ、衝撃に強いコマ玩具を実現可能とする。
【００５５】
本発明によれば、前記上層部材が、鍔部を有し、最下層部材と中層部材の外側にはみ出すように形成されることにより、他のコマ玩具や、他の障害物にぶつけて回転させることができる。
【図面の簡単な説明】
【図1】    本発明に係るコマ玩具の斜視図。
【図２】    前記コマ玩具の分解図。
【図３】    中間部材の詳細な分解図で、（Ａ）は主部材及び補助部材の正面斜視図、（Ｂ）は主部材の裏面斜視図。
【図４】    図１のコマ玩具の概略投影図で、スライド部材の出没する長さの説明図で、（Ａ）は出没する長さが最長の状態を示す図、（Ｂ）は出没する長さが最短の状態を示す図、（Ｃ）は出没する長さが最長と最短の間の状態を示す図。
【図５】    シュ−タ−にコマ玩具を取り付けた状態の斜視図。
【符号の説明】
１        コマ玩具
２        最下層部材
２０      回転軸
２１      弾性部材収納部
２２      中間部材収納部
２３      螺孔突起台
２４      位置合わせ突起台
２５      螺孔突起
２５ａ    螺孔
２６      位置合わせ突起
３        弾性部材
４        スライド部材
４０      係止片
４０ａ    固定部分
４０ｂ    可撓部分
４０ｃ    係止突起
４１      係止部材嵌挿孔
５        中間部材
５０      主部材
５０ａ    内軸孔
５０ｂ    凹陥部
５０ｃ    係止凹欠部
５０ｄ    スライド部材調整突起部
５０ｅ    掛止突起
５０ｆ    嵌合突起
５０ｇ    係合片
５０ｈ    補助部材収納部
５０ｉ    補助部材掛止溝
５１      補助部材
５１ａ    内軸孔
５１ｂ    掛止爪
５２      バネ
６        中層部材
６０      張り出し片
６１      嵌合孔
６２      嵌合溝
７        上層部材
７０      鍔部
７１      内軸孔
７２      係止部材受け部
７２ａ    波形ラック
７３      長孔
８        係止部材
８０      上部材
８０ａ    螺孔
８０ｂ    波形ラック
８１      下部材
８１ａ    螺孔
８２      螺子
１００    シューター
１００ａ  本体
１０１    回転体
１０２    回転片
１０３    ラック部材
【図１】
0004612251.tif 000002
【図２】
0004612251.tif 000003
【図３】
0004612251.tif 000004
【図４】
0004612251.tif 000005
【図５】
0004612251.tif 000006